(57)【要約】　　　（修正有）【課題】入力電圧が定格電圧に比べ低いときやチヨッパ回路１２の異常動作によりチヨッパ回路１２出力電圧が過大となったときには、発振が停止するように制御することで、構成部品へのストレスを低減し、回路の信頼性をより高めるとともに、これらを同一の回路にて行なうことで部品点数を少なく構成する。【解決手段】チョッパ回路１２により昇圧された電圧を平滑する平滑回路１７と平滑された直流電圧を高周波の交流に変換するインバータ回路２４と、前記直流電圧検知回路１８で検出した電圧を基準低電圧または基準高電圧のいずれかの基準電圧で判定する判定回路２９と、前記基準電圧を商用整流電源投入後の回路動作前には基準低電圧に、回路動作後は基準高電圧に制御する切替回路３１と、前記判定回路２９で検出電圧が基準低電圧未満または基準電圧以上と判定された場合には、制御回路１：１６および制御回路２：１９に発振を停止させる保護回路３０を備える。【選択図】　　図１
2004127880.tif 000002
【特許請求の範囲】
【請求項１】
商用交流電源を全波整流した電圧を昇圧するチョッパ回路とチヨッパ用スイッチング素子を制御する制御回路１とチョッパ回路により昇圧された電圧を平滑する平滑回路と平滑された直流電圧を高周波の交流に変換するインバータ回路と、インバータ回路のスイッチング素子を制御する制御回路２と、このインバータの出力により放電灯を高周波点灯させる負荷回路と前記直流電圧を検出する直流電圧検出回路と、前記直流電圧検知回路で検出した電圧を基準低電圧または基準高電圧のいずれかの基準電圧で判定する判定回路と、前記基準電圧を商用整流電源投入後の回路動作前には基準低電圧に、回路動作後は基準高電圧に制御する切替回路と、前記判定回路で検出電圧が基準低電圧未満または基準電圧以上と判定された場合には、制御回路１および制御回路２に発振を停止させる、または発振停止を維持するような制御信号を出力する保護回路を備え、
判定回路を、電源投入後の回路動作前には基準低電圧で判定し、回路動作後は基準高電圧で判定するように切り替えることにより、２つの保護動作を１つの回路構成で行なうことを特徴とする放電灯点灯装置。
【発明の詳細な説明】
【０００１】
【発明の属する技術分野】
本発明は、入力電圧が設定電圧未満のときには発振停止を維持する回路とチョッパ回路異常時に直流電圧が過大となったときに発振を停止させる回路を、回路動作の前後で判定する基準電圧を切り替えることにより一つの回路で構成した放電灯点灯装置に関する。
【０００２】
【従来の技術】
放電灯点灯装置において、インバータ回路およびチヨッパ回路は入力電圧が定格の電圧よりはるかに低い場合でも発振を開始してしまい入力電流の増加により構成部品にストレスが損かることがあった。また、チヨッパ回路が異常動作したとき、チヨッパ回路出力電圧の過大な上昇により構成部品に過大なストレスを加え、回路が破損する場合があった。従来、これらの問題を解決するための回路は部品点数が多くなることなどからあまり付加されておらず、もしこの様な回路を構成する場合には入力電圧を検知する回路とチョッパ回路出力電圧を検知する回路をそれぞれ別々に構成しなければならなかった。
【０００３】
【発明が解決しようとする課題】
上記従来技術は、低電圧、高電圧の保護回路を設ける場合、それぞれの保護回路を別々に構成しなければならず、部品点数が多くなり、回路の複雑化を招いていた。
本発明は、入力電圧が定格電圧に比べ低いときやチヨッパ回路の異常動作によりチヨッパ回路出力電圧が過大となったときには、発振が停止するように制御することで、構成部品へのストレスを低減し、回路の信頼性をより高めるとともに、これらを同一の回路にて行なうことで部品点数を少なく構成することを目的とする。
【０００４】
【課題を解決するための手段】
入力電圧が定格電圧より著しく低くて問題になるのは、２００Ｖ用回路を１００Ｖ系電源で諜使用するような高電圧仕様品を低電圧電源で使用した場合であり、適正な電源電圧で使用している場合での短時間の電源電圧の低下は問題にならない。そこで、上記目的を達成するために、商用交流電源投入後の回路動作していない時には、入力電圧を平滑した直流電圧を直流電圧検出回路により検出し、その判定を基準低電圧にて行ない、基準低電圧未満と判定したときには発振停止を維持するように制御する。また、回路が動作している時にはチョッパ回路出力電圧を前記と同一の直流電圧検出回路により検出し、その基準電圧を切替回路により基準高電圧に切り替え、基準高電圧以上のときには発振を停止するように制御する。これにより、それぞれの保護動作を同一回路で行なうものである。
【０００５】
【発明の実施の形態】
本発明の実施形態を図１こより説明する。この図で、検出回路１８は直流電圧Ｖ１を検出しており、その直流電圧Ｖ１を判定する判定回路２９には基準低電圧ＶＬと基準高電圧ＶＨの２つの基準電圧がある。ここで、電源投入後の回路動作前の判定は基準低電圧ＶＬで行ない、直流電圧Ｖ１が基準電圧ＶＬ未満のときには保護回路３０が動作し、制御回路１および制御回路２に発振停止させる制御信号を出力する。また、直流電圧Ｖ１が基準低電圧ＶＬ以上のときには保護回路３０は動作しない。一方、回路動作後の判定は基準高電圧ＶＨで行なうように切替回路３１を動作させ、、直流電圧Ｖ１が基準高電圧ＶＨ未満のときには保護回路３０は動作せず、直流電圧Ｖ１が、基準高電圧ＶＨ以上の時には前記同様、保護回路３０が動作し、制御回路１および制御回路２に発振停止させる制御信号を出力する。このとき、この制御信号は商用交流電源１０がオフになるまで出力されるように保護回路３０を制御する。
【０００６】
商用交流電源１０が投入されるとチョッパ回路１２が動作する前は、整流回路１１と平滑回路１７により変換された直流電圧Ｖ１がハーフブリッジ回路からなるインバータ回路２４に供給される。この直流電圧Ｖ１を検出回路１９により検出し、この検出した電圧を判定回路２９の基準低電圧ＶＬと比較する。ここで直流電圧Ｖ１が基準低電圧ＶＬ未満であると判定された場合には保護回路３０が動作する。保護回路３０が動作すると制御回路１および制御回路２に発振停止させるための制御信号を出力し、チヨツパ回路１２およびインバータ回路２４は発振停止状態となり、直流電圧Ｖ１が基準低電圧ＶＬ未満である限りチヨッパ回路１２およびインバータ回路２４は発振停止状態を維持する。よって、商用交流電源１０が設定した電圧以下の時には回路は動作することがないので、入力電流の増加により構成部品に与えるストレスを軽減することができる。その後、直流電圧Ｖ１が判定回路２９により基準低電圧ＶＬ以上と判定された場合、保護回路３０の動作が停止し、制御回路１および制御回路２へ発振停止させるための制御信号は出力されず、チョッパ回路１２およびインバータ回路２４は発振開始し、判定回路２９の基準電圧は切替回路３１により基準高電圧ＶＨへと切り替わる。尚、基準低電圧ＶＬは商用交流電源１０が点灯装置の足格の電圧のときの直流電圧Ｖ１未満となるようにを設定しておく。
【０００７】
一方、回路動作開始後、直流電圧ゾ１はチョッパ回路１２により制御された電圧となる。尚、判定回路２９の基準高電圧Ｖ期ま、チョッパ回路１２が正常に動作している時の直流電圧Ｖ１よりも高い電圧に設定する。ここで、チヨッパ回路１２の異常動作によりチョッパ回路１２に制御され直流電圧Ｖ１が過大となった場合、その直流電圧Ｖ１は検出回路１８により検出され、判定回路２９により基準高電圧ＶＨと比較される。このとき、直流電圧Ｖ１が基準高電圧ＶＨ以上であった場合、上記基準低電圧ＶＬ未満であった時と同様に保護回路３０が動作し、制御回路１および制御回路２へ発振を停止させるための制御信号が出力される。これにより、チョッパ回路１２とインバータ回路２４の発振が停止し、直流電圧Ｖ１は商用交流電源１０を平滑回路１１および整流回路１７により変換した直流電圧Ｖ１に低下する。このとき、直流電圧Ｖ１は基準高電圧ＶＨ未満となるが保護回路３０の信号は商用電源１０がオフとなるまで出力されるように制御する。よって、チョッパ回路１２が動作異常となっても、直流電圧Ｖ１により構成部品に過大なストレスを加えることはない。
【０００８】
【発明の効果】
本発明によれば、商用交流電源投入後の回路動作前に発振開始可能とする入力電圧を適正に設定できるため、入力電圧が低いときの構成部品へのストレスを軽減することができる。また、チョッパ回路の異常によりチョッパ回路の出力電圧が過大となった場合にも回路動作を停止させることによりその出力電圧を低下させるので、回路の信頼性を向上させることができる。さらに、これらを同一回路により構成できるため、最小限の構成部品により回路の信頼性を向上させることが出来る。
【図面の簡単な説明】
【図１】本発明装置の回路図である。
【符号の説明】
１０：商用交流電源　１１：整流回路　１２：チョッパ回路　１３：チョッパ用インダクタ　１４：チヨッパ用逆素子ダイオード　１５：チヨッパ用スイッチング素子　１６：制御回路１（チョッパスイッチング制御回路）　１７：平滑回路１８：直流電圧検出回路　１９：制御回路２（インバータスイッチング制御回路）　２０，２１：インバータ用スイッチング素子　２　２，２３：フライホイール用ダイオード　２４：インバータ回路　２５：バラストチョーク　２６：ランプ負荷　２７：共振用ダイオード　２８：アーム用コンデンサ　２９：判定回路　３０：保護回路　３１：切替回路
【図１】
2004127880.tif 000003